(57)【要約】【課題】  効率的に換気を行いながら、内部温度の上昇をより抑制し、電子機器の温度上昇を抑制できる電子機器類収容箱を提供することを課題とする。【解決手段】  電子機器類収容箱１であって、内部に電子機器Ｅ１，Ｅ２を収容する収容箱本体２と、収容箱本体２の側板２４の下部近傍又は底板２１に設けられる吸気口３と、収容箱本体２の天井板２２を上下方向に貫通して設けられる排気ファン４と、を備えるように構成した。【選択図】      図１
2005086081.tif 000002
【特許請求の範囲】
【請求項１】
内部に電子機器類を収容する収容箱本体と、
前記収容箱本体の側板の下部近傍又は底板に設けられる吸気口と、
前記収容箱本体の天井板を上下方向に貫通して設けられる排気ファンと、
を備えることを特徴とする電子機器類収容箱。
【請求項２】
前記収容箱本体の前記天井板の上面全体を上方から覆う排気フードを備え、前記排気フードは水平向き又は水平より下向きの排気口を有することを特徴とする請求項１に記載の電子機器類収容箱。
【請求項３】
前記排気フードは、前記天井板より側方に突出しており、前記排気口は、前記側板に沿って排出されるように下向きに形成されていることを特徴とする請求項２に記載の電子機器類収容箱。
【請求項４】
前記排気フードは脱着可能であることを特徴とする請求項２又は請求項３に記載の電子機器類収容箱。
【請求項５】
前記吸気口から吸入した空気を前記電子機器類の周囲に集中的に通流させる整流板を有することを特徴とする請求項１から請求項４のいずれか１項に記載の電子機器類収容箱。
【請求項６】
前記整流板は前記電子機器類と前記側板の間に配置される断熱材からなることを特徴とする請求項５に記載の電子機器類収容箱。
【請求項７】
複数個の前記電子機器類が、水平投影面積の大きいものほど上になるように上下に並べて配置されていることを特徴とする請求項１から請求項６のいずれか１項に記載の電子機器類収容箱。
【請求項８】
前記電子機器類のうち、発熱量の大きいものを上方に配置することを特徴とする請求項１から請求項６のいずれか１項に記載の電子機器類収容箱。
【発明の詳細な説明】
【技術分野】
【０００１】
本発明は、例えば通信機器などの電子機器類を収容する電子機器類収容箱に関し、特に、内部の換気を効率よく行うことで電子機器類を冷却することができる電子機器類収容箱に関するものである。
【背景技術】
【０００２】
近年、端末機器、交換機、伝送装置、無線通信装置、通信ケーブル等の通信機器（以下、「電子機器類」という）を収容する収容箱が屋外に設置されるようになってきている。このような電子機器類を収容箱に収容する場合、その電子機器自体が発する熱及びその他の機器が発する熱によって、収容箱内部の温度が上昇するとともに、電子機器自体の温度が上昇する。一方、電子機器類には、正常に動作可能な温度条件（正常動作温度）があり、この温度条件が得られないと、電子機器類の機能又は品質の低下をきたし、故障等を招くおそれがある。そこで、電子機器類の温度上昇を抑制することを目的として、効果的に外気を取り入れて電子機器類を冷却するように構成した電子機器類収容箱がある（例えば、特許文献１参照）。
【０００３】
特許文献１に開示された高圧受電設備収容箱は、筐体と、筐体を支持するチャンネルベースと、筐体の上に載置される屋根体とから構成され、筐体内部には、設置される受電設備（電子機器類）の周囲を囲むように気流整流板が設けられている。また、外気を取り入れるための吸気口がチャンネルベースに設けられ、外気を排気するための排気口が屋根体の側面側に開口するように設けられている。そして、外気の取り入れ及び排気を効率よく行うための排気ファンは排気口近傍、つまり屋根体の側面側に取り付けられている。このように構成された高圧受電設備収容箱では、排気ファンの運転によって外気が吸気口から筐体内部に取り入れられ、取り入れられた空気が気流整流板によって整流されて、受電設備に吹き付けられる。空気は、受電設備が発生する熱を吸収し、受電設備の温度上昇を抑制する。そして、こうして熱せられた空気は排気口から排出される。このように効果的に外気を取り入れて、熱せられた空気を排出するので、筐体内部の温度上昇を抑制するとともに、受電設備自体を冷却することができる。
【特許文献１】実開平７−３６５１３号公報（段落００１０、００１１、図１）
【発明の開示】
【発明が解決しようとする課題】
【０００４】
しかしながら、前記した高圧受電設備収容箱では、筐体内部で熱せられた空気が、上昇気流に乗って屋根体の下面まで到達した後、側面側に取り付けられた排気ファンに吸い込まれ、排気口から排出されるので、屋根体近傍では、その下面に沿って側面側に流される空気が一時的に滞留し、筐体内上部に熱だまりが生成される。そして、この熱だまりは、結果的に筐体内部の温度を上昇させて、受電設備の温度も上昇させるという問題点があった。従って、受電設備の正常動作温度が低い場合等、その動作に不具合が生じることも考えられる。
【０００５】
また、筐体の外面に直射日光が照射されると、筐体外面の温度が上昇し、それに従い、筐体内部の温度も上昇する。そのため、過酷な屋外環境においては、好適な温度条件を得られにくくなっているという問題点があった。
【０００６】
さらに、筐体内部に発熱源たる電子機器類が複数設置される場合、発熱の大きい電子機器から熱を奪って熱せられた空気が、また、その他の電子機器に吹き付けられると、その他の電子機器を効果的に冷却できず、動作の不具合を生じさせやすいという問題点もあった。
【０００７】
そこで、本発明では、前記した問題を解決し、効率的に換気を行いながら、内部温度の上昇をより抑制し、電子機器の温度上昇を抑制できる電子機器類収容箱を提供することを課題とする。
【課題を解決するための手段】
【０００８】
前記課題を解決するため、請求項１に係る電子機器類収容箱では、内部に電子機器類を収容する収容箱本体と、前記収容箱本体の側板の下部近傍又は底板に設けられる吸気口と、前記収容箱本体の天井板を上下方向に貫通して設けられる排気ファンと、を備えることを特徴とする。
【０００９】
請求項１に係る電子機器類収容箱によれば、吸気口から収容箱本体内に取り入れられた外気は、収容された電子機器類から発せられる熱を吸収し、熱せられた空気は、排気ファンから排気される。このとき、排気ファンが天井板を上下方向に貫通して設けられているので、熱せられた空気は、上昇気流に乗りながら天井板に到達し、排気ファンを介してそのまま外部に排気される。そのため、排気ファン及び排気口が側面側に設けられる場合のように、天井板近傍で熱だまりを生成しないので、熱だまりによる収容箱本体内の温度上昇を抑制することができる。また、排気ファンによって外気を効率よく取り入れ、排気させることができるので、電子機器類を効果的に冷却でき、電子機器類の正常な動作を保つことができる。なお、本発明において、排気ファンが外部に露出すると収容箱本体内に雨滴等が侵入しやすく、電子機器類を湿気等で故障させてしまうので、少なくとも排気ファンを覆うことができるカバーを設けることが好ましい。
【００１０】
請求項２に係る発明では、請求項１に記載の電子機器類収容箱において、前記収容箱本体の前記天井板の上面全体を上方から覆う排気フードを備え、前記排気フードは水平向きまたは水平より下向きの排気口を有することを特徴とする。
【００１１】
請求項２に係る電子機器類収容箱によれば、請求項１に係る電子機器類収容箱による作用に加え、排気口が設けられた排気フードで、天井板の上面全体を覆うようになっており、排気ファンに吸い込まれた空気は、水平向き又は水平より下向きの排気口を介して外部に排出される。このような構成によれば、排気ファンは外部に露出しないので、雨滴、粉塵等の侵入を防止できる。また、排気フードが天井板の上面全体を覆うので、天井板を直射日光から遮蔽でき、天井板の温度上昇を抑制するので、収容箱本体内の温度上昇をより一層抑制することができる。
【００１２】
請求項３に係る発明では、請求項２に係る電子機器類収容箱において、前記排気フードは、前記天井板より側方に突出しており、前記排気口は、前記側板に沿って排出されるように下向きに形成されていることを特徴とする。
【００１３】
請求項３に係る電子機器類収容箱によれば、請求項２に係る電子機器類収容箱による作用に加え、排気ファンに吸い込まれた空気は、排気フードと天井板上面で形成される空間に放出され、この空間内から、排気口を介して下向きに排気される。下向きに排気された空気は、収容箱本体の側板の外面に沿って吹き流されるので、収容箱本体の外面温度を低下させる。従って、特に高温である等の過酷な屋外環境に設置された場合でも、収容箱本体内の温度上昇を抑制することができる。また、排気口が下向きに形成されているので、雨滴、粉塵等の侵入をより一層防止することができる。
【００１４】
請求項４に係る発明では、請求項２又は請求項３に係る電子機器類収容箱において、前記排気フードは脱着可能であることを特徴とする。
【００１５】
請求項４に係る電子機器類収容箱によれば、請求項２又は請求項３に係る電子機器類収容箱による作用に加え、排気フードを脱着可能に構成することから、排気フードを取り外して、排気ファン等のメンテナンスを容易に行うことができる。
【００１６】
請求項５に係る発明では、請求項１から請求項４のいずれか１項に記載の電子機器類収容箱において、前記吸気口から吸入した空気を前記電子機器類の周囲に集中的に通流させる整流板を有することを特徴とする。
【００１７】
請求項５に係る電子機器類収容箱によれば、請求項１から請求項４のいずれか１項に記載の電子機器類収容箱による作用に加え、吸気口から外気を取り入れると、空気が電子機器類の周囲を集中的に通流する。そのため、空気が電子機器類から効率的に熱を吸収することができ、電子機器類を効果的に冷却することができる。
【００１８】
請求項６に係る発明では、請求項５に記載の電子機器類収容箱において、前記整流板は前記電子機器類と前記側板の間に配置される断熱材からなることを特徴とする。
【００１９】
請求項６に係る電子機器類収容箱によれば、請求項５に記載の電子機器類収容箱による作用に加え、電子機器類と側板の間に整流板が設けられている。そのため、吸気口から外気を取り入れると、整流板を挟んで側板側と電子機器類側に空気の流れが形成される。このように、空気は電子機器類の周囲を集中的に通流できるので、電子機器類を効果的に冷却することができる。また、収容箱本体の外面温度が直射日光の照射等により上昇して側板から収容箱本体内部に輻射熱が伝達されても、断熱材からなる整流板であることから、その輻射熱は整流板と電子機器類の間に流れる空気まで到達しない。そのため、収容箱本体の側板から発せられる電子機器類への輻射熱を遮ることができる。
【００２０】
請求項７に係る発明では、請求項１から請求項６のいずれか１項に記載の電子機器類収容箱において、複数個の前記電子機器類が、水平投影面積の大きなものほど上になるように上下に並べて配置されていることを特徴とする。
【００２１】
請求項７に係る電子機器類収容箱によれば、請求項１から請求項６のいずれか１項に記載の電子機器類収容箱による作用に加え、吸気口から外気が取り入れられると、まず、空気は下方に配置された水平投影面積の小さい電子機器類から熱を吸収して、それらを冷却しながら上昇する。そして、上方に配置された水平投影面積の大きい電子機器類を冷却した後、天井板の排気ファンを介して外部に排気される。収容箱本体内では、下方に水平投影面積の小さい電子機器類を配置しているため、吸気口近傍の空気の通流経路を広く確保でき、外気を多く取り入れることができる。そのため、電子機器類の発する熱の吸収効率を向上させることができる。
【００２２】
請求項８に係る発明では、請求項１から請求項６のいずれか１項に記載の電子機器類収容箱において、前記電子機器類のうち、発熱量の大きいものを上方に配置することを特徴とする。
【００２３】
請求項８に係る電子機器類収容箱によれば、請求項１から請求項６のいずれか１項に記載の電子機器類収容箱による作用に加え、吸気口から外気が取り入れられると、まず、空気は下方に配置された発熱量の小さい電子機器類から熱を吸収して、それらを冷却しながら上昇する。そして、上方に配置された発熱量の大きい電子機器類を冷却した後、天井板の排気ファンを介して外部に排出される。そのため、収容箱本体内では、効率的に熱を吸収することができ、収容箱本体内の温度上昇を抑制することができる。
【発明の効果】
【００２４】
このような電子機器類収容箱によれば、効率的に外気を取り入れながら、収容箱本体内の温度の上昇を、従来よりも抑制することができるとともに、収容される電子機器類を効果的に冷却できる。そのため、電子機器類の正常な動作を保つことができる。
【発明を実施するための最良の形態】
【００２５】
次に、本発明の実施形態について、適宜図面を参照しながら詳細に説明する。図１は本実施形態に係る電子機器類収容箱の分解斜視図であり、図２は本実施形態に係る電子機器類収容箱の一部を透視した斜視図である。また、図３は本実施形態に係る電子機器類収容箱の側面断面図であり、図４は本実施形態に係る電子機器類収容箱の底面図である。
【００２６】
図１及び図２に示すように、本実施形態の電子機器類収容箱１は、電子機器Ｅ１，Ｅ２を収容する収容箱本体２と、外気を収容箱本体２の内部に取り入れるための吸気口３（図４参照）と、収容箱本体２の内部から外部に空気を排気するための排気ファン４と、排気ファン４への雨滴等の侵入を防止する排気フード５を備えて構成され、収容箱本体２の内部には、電子機器を載置するための電子機器用収容棚６が設置されている。
【００２７】
図１に示すように、収容箱本体２は、底板２１と、天井板２２と、底板２１と天井板２２の間にその周囲を囲むように一体に接合される枠体２３とを有し、底板２１と天井板２２の間に対向するように配置される２枚の側板２４，２４と、側板２４，２４の間に対向するように配置される正面扉２５及び背面板２６を枠体２３に取り付けて、箱型に形成される（図３等参照）。正面扉２５は、ヒンジＨで枠体２３に取り付けられており、開閉自在となっている。また、枠体２３には予めピースＰを溶接しておき、側板２４，２４及び背面板２６は、ピースＰに取り付けピン等（不図示）で取り付けられるようになっている。このようにすれば、現場において側板２４，２４及び背面板２６の取り付けを容易に行うことができるとともに、容易に取り外すこともできるので、電子機器Ｅ１,Ｅ２のメンテナンスや取り替え等を簡便にすることができる。また、側板２４や背面板２６に取り付けのための貫通孔を穿設する必要もなく、防水性、気密性を向上させることができる。なお、防水性を一層確保すべく、側板２４，２４及び背面板２６を枠体２３に取り付ける際に水密性パッキン等を介在させてもよい。
なお、側板２４，２４、正面扉２５及び背面板２６は、〔特許請求の範囲〕の「側板」に相当する。
【００２８】
図４に示すように、底板２１には吸気口３が設けられている。吸気口３には、防塵フィルタＦを設置するため、防塵フィルタ設置枠２１ａを設けており（図３参照）、防塵フィルタＦの取り替えやメンテナンス等を容易にすることができる。なお、吸気口３は、底板２１ではなく、側板２４の下部近傍に設けてもよいし、又は、底板２１及び側板２４の下部近傍に複数設けるようにしてもよい。特に底板２１及び側板２４の双方に設けた場合、底板２１側から吸気されて上昇する空気に側板２４側から吸気されて上昇する空気が混合して、効率的に上昇気流を発生させることができ、空気を流れやすくすることができる。
【００２９】
図１に示すように、排気ファン４は、天井板２２に、上下方向に貫通するように二個並列して配設されており、収容箱本体２内に外気を取り入れ、その内部の空気を排出できるようになっている。排気ファン４がこのように設けられていると、側板２４に水平方向に開口するように設けられている場合のように、天井板２２近傍で内部の空気を滞留させて熱だまりを生成することがなく、外部に排気することができる。
【００３０】
図５は、電子機器用収容棚の斜視図である。
図５に示すように、電子機器用収容棚６は、対向して配置される二枚の板状部材（整流板）６１，６２と、板状部材６１，６２間の下方位置と中間位置に取り付けられる二枚の架台６３，６４とを備え、架台６３，６４上に電子機器Ｅ１，Ｅ２（図３等参照）を載置できるようになっている。また、一方の板状部材６１には光成端箱６５を取り付けて、電子機器Ｅ１，Ｅ２に接続される配電用ケーブルや通信用ケーブルなどを収納できるようになっている。
【００３１】
板状部材６１，６２の材質には、例えば、木質繊維系や無機繊維系などの断熱材が適している。断熱材を用いれば、板状部材６１，６２間に載置される電子機器Ｅ１，Ｅ２に側板２４，２４等からの輻射熱を伝達することがなく、電子機器Ｅ１，Ｅ２を効率的に冷却することができる。板状部材６１，６２の間には、ビス等（不図示）で架台６３，６４が取り付けられている。なお、板状部材６１，６２が互いに対向する面の水平方向両端部において、上下方向に沿って、係止孔を複数穿設し、架台６３，６４に係止突部を設けて、任意の係止孔に係止突部を嵌入して、架台６３，６４を取り付けるように構成してもよい。上下方向に係止孔を複数穿設することで、電子機器Ｅ１，Ｅ２のサイズに合わせて、架台６３，６４の取り付け高さを選択することができる。
【００３２】
架台６３，６４は矩形状をしており、空気が通流できるように網目状の通気孔６３ａ，６４ａが設けられている。架台６３，６４は板状部材６１，６２の間に水平に取り付けられて、その上に電子機器Ｅ１，Ｅ２が載置されるようになっている（図３参照）。そのため、電子機器Ｅ１，Ｅ２の重量に耐えられる強度を有するとともに、熱を伝達しない材質を用いるとよい。そして、上方に取り付けられる架台６４には水平投影面積の大きい電子機器Ｅ２を載置し、下方に取り付けられる架台６３には水平投影面積の小さい電子機器Ｅ１を載置する。
【００３３】
このように配置すれば、外気は底板２１の吸気口３から取り入れられ、その取り入れられた空気は上昇しながら、まず、水平投影面積の小さい電子機器Ｅ１から発する熱を吸収した後、水平投影面積の大きい電子機器Ｅ１から発する熱を吸収する。収容箱本体２内では、下方に水平投影面積の小さい電子機器Ｅ１を配置しているため、吸気口３近傍の空気の通流経路を広く確保でき、外気を多く取り入れることができる。そのため、電子機器Ｅ１，Ｅ２の発する熱の吸収効率を向上させることができる。
なお、本実施形態においては、水平投影面積の大きさで電子機器の上下の配置を決定するが、水平投影面積の大きさが同じである場合は、発熱量の大きさで電子機器の上下の配置を決定することもできる。この場合は、発熱量が大きい電子機器を上方に配置すれば、吸気口３から取り入れられた空気は、発熱量が小さい電子機器から熱を吸収した後、発熱量が大きい電子機器から熱を吸収するため、熱の回収効率を向上させることができる。
【００３４】
図３に示すように、排気フード５は、天井板２２を上方から覆うようにして収容箱本体２に取り付けられ、排気ファン４を介して収容箱本体２内に雨滴等が侵入することを防止する（図２参照）。排気フード５は、天井板２２の上面２２ａ全面を覆い、かつ、前記天井板の背面側より側方に突出して形成される平面視略矩形状に形成されるフード本体５０と、その四方の周縁から下方に延びる周縁部５１，５２，５３，５４とを有している（図２参照）。排気フード５は、正面側及び側面側に位置する周縁部５１，５２，５３を収容箱本体２の天井板２２の上面２２ａに当接させて、収容箱本体２にボルトとナットで固定される。ボルトとナットで脱着可能に構成することで、排気ファン４のメンテナンス等も容易に行うことができる。
なお、排気フード５は容易に脱着しやすいように排気フード５と天井板２２にそれぞれ嵌め合い構造を設けて取り付けるようにしてもよい。
【００３５】
また、背面側に位置する周縁部５４は、背面板２６との間に所定の隙間を有しており、周縁部５４と収容箱本体２の背面板２６の間に、下方に開口するような排気口５５が形成される（図３参照）。排気口５５は水平方向に開口するように設けることもできるが、下方に開口するように設けた方が、防水性を向上できる。また、下方に開口するように設けると、フード本体５０と周縁部５１，５２，５３，５４と天井板２２の上面２２ａで形成される空間Ｓ内の空気が背面板２６に沿って排気されるため、背面板２６の外面の温度上昇を抑制することができる（図６参照）。
【００３６】
以上のように構成された電子機器類収容箱１内の空気の流れについて、以下説明する。
図６は電子機器類収容箱内の空気の流れを模式的に示す側面断面図である。
まず、排気ファン４を運転すると、底板２１に設けられた吸気口３から防塵フィルタＦを介して外気が収容箱本体２内に取り入れられる。そして、取り入れられた空気は、板状部材６１（６２）を挟んで、正面扉２５（背面板２６）側と電子機器Ｅ１，Ｅ２側にその流れを分けられながら、板状部材６１，６２によってその流れる方向を案内されつつ上昇する。このとき、板状部材６１，６２間で通気孔６３ａを通過して上昇する空気は、水平投影面積の小さい電子機器Ｅ１が発する熱を吸収して、電子機器Ｅ１を冷却する。このとき、吸気口３に近い下方においては、空気の通流経路を広く確保できるため、空気を多く取り入れることができる。そして、さらに上昇して通気孔６４ａを通過した空気は、水平投影面積の大きい電子機器Ｅ２から発する熱を吸収して、電子機器Ｅ２を冷却する。また、板状部材６１，６２が空気の流れを案内するので、電子機器Ｅ１，Ｅ２の周囲に集中的に空気を流し、電子機器Ｅ１，Ｅ２を効果的に冷却することができる。
【００３７】
一方、正面扉２５（背面板２６）側に流れた空気には、正面扉２５（背面板２６）からの輻射熱が伝達されるが、この輻射熱は断熱材からなる板状部材６１，６２で遮られて、板状部材６１，６２間の空気には伝達されず、余分な熱から電子機器Ｅ１，Ｅ２を保護することができる。
【００３８】
このようにして天井板２２まで到達した空気は、排気ファン４から空間Ｓに放出される。このとき、排気ファン４が天井板２２に上下を貫通するように取り付けられていることから、空気が収容箱本体２内で天井板２２近傍に滞留することがなく、熱だまりを生成しない。
【００３９】
空間Ｓでは、空気はフード本体５０の下面や天井板２２の上面に沿って流れつつ周縁部５４側に流されて、排気口５５から外部に排気される。排気口５５が下方に開口しているので、空気は背面板２６の外面に沿って吹き流されて、背面板２６の外面の温度上昇を抑制することができる。
【００４０】
以上によれば、本実施形態に係る電子機器類収容箱１において、以下の効果を得ることができる。
排気ファン４が天井板２２に上下を貫通するように設けられているので、収容箱本体２内に取り入れられた空気は、上昇気流に乗りながら天井板２２に到達し、排気ファン４、排気口５５を介して外部に排気される。そのため、排気ファン４及び排気口５５が側面２４側に水平に開口して設けられる場合のように、収容箱本体２内の天井板２２近傍で熱だまりを生成せず、熱だまりによる収容箱本体２内の温度上昇を抑制することができる。
また、排気ファン４によって外気を効率よく取り入れ、排気させることができるので、電子機器Ｅ１，Ｅ２を効率的に冷却でき、電子機器Ｅ１，Ｅ２の正常な動作を保つことができる。
【００４１】
板状部材６１，６２が空気の流れを案内し、電子機器Ｅ１，Ｅ２近傍に効率よく空気を通流させるので、電子機器Ｅ１，Ｅ２を効果的に冷却でき、電子機器Ｅ１，Ｅ２の正常な動作を保つことができる。
また、板状部材６１，６２が断熱材で形成されているので、収容箱本体２の正面扉２５等からの輻射熱を電子機器Ｅ１，Ｅ２に伝達させないようにできる。そのため、電子機器Ｅ１，Ｅ２の温度上昇を抑制できる。
【００４２】
排気口５５が下向きに開口していることで下向きに排気された空気は、収容箱本体２の背面板２６の外面に沿って吹き流され、収容箱本体２の外面温度を低下させる。従って、特に高温である等の過酷な屋外環境に設置された場合でも、収容箱本体２内の温度上昇を抑制することができる。また、排気口５５が下向きに開口するように設けられているので、雨滴、粉塵等の侵入をより一層防止することができる。
【００４３】
排気フード５が容易に脱着可能であることから、排気フード５を取り外して、排気ファン４等のメンテナンスを容易に行うことができる。
【００４４】
排気フード５で、天井板２２の上面２２ａ全体を覆うようになっており、排気ファン４は外部に露出しないので、雨滴、粉塵等の侵入を防止できる。また、排気フードが天井板２２の上面２２ａ全体を覆うので、天井板２２を直射日光から遮蔽できる。
【００４５】
吸気口３から外気が取り入れられると、空気は、まず、下方に配置された水平投影面積の小さい電子機器Ｅ１から熱を奪って、それらを冷却しながら上昇する。そして、上方に配置された水平投影面積の大きい電子機器Ｅ２を冷却した後、天井板２２の排気ファン４を介して外部に排出される。収容箱本体２内では、下方に水平投影面積の小さい電子機器Ｅ１を配置しているため、吸気口３の近傍で空気の通流経路を広く確保できる。そのため、外気を多く取り入れて、空気の流速を大きくすることができるので、効率的な熱回収を行うことができる。
【００４６】
以上、本発明の実施形態について説明したが、本発明は前記実施形態には限定されない。
本実施形態では、電子機器用収容棚６の板状部材６１，６２で空気の流れを整流することとしたが、電子機器Ｅ１，Ｅ２近傍に集中的に空気を通流させるように構成するものであれば、電子機器用収容棚６と別に設けることもできる。また、本実施形態では、対向して配置する板状部材６１，６２だけで整流するように構成したが、四方を囲むように板状部材を配置してもよい。このようにすれば、側板２４等からの輻射熱も遮ることができる。
さらに、本実施形態では、電子機器用収容棚６を架台６３，６４の二段で構成したが、架台は三段以上設けるものであってもよい。
【００４７】
また、排気フード５のフード本体５０は平面視で背面板２６側からのみ突出して、背面板２６の外面のみ空気を吹き流すように構成したが、側板２４，２４側及び正面扉２５側にも吹き流すように構成してもよい。背面板２５の一面のみ吹き流す場合よりも空気が分散され、吹き流しの効果は劣るけれど均等に収容箱本体２の外面温度を下げることができる。
【００４８】
以下、図面を参照しながら、電子機器類収容箱の構造等をシミュレーションして収容箱本体内の温度分布がどのように変化するかについて説明する。なお、このシミュレーションにおいては、いずれにおいても外気温度を３５度に設定する。また、上方に配置する電子機器の上部空気温度を（１）、下方に配置する電子機器の上部空気温度を（２）として示すものとし、図面においては、温度が高いほど色が濃くなるように表示する。
図７は本実施形態に係る電子機器類収容箱の収容箱本体内の温度分布を示す図である。また、図８は図７の電子機器類収容箱において排気ファンが側方に取り付けられている場合の収容箱本体内の温度分布を示す図、図９は図７の電子機器類収容箱において整流板が設けられていない場合の収容箱本体内の温度分布を示す図、図１０は電子機器を上下入れ替えた場合の収容箱本体内の温度分布を示す図である。
【００４９】
まず、図７は本実施の形態に係る電子機器類収容箱であり、排気ファンが天井板に取り付けられ、排気口は下向きに開口し、収容箱本体内においては水平投影面積が大きい電子機器を上方に、水平投影面積が小さい電子機器を下方に配置しており、電子機器の周囲に集中的に空気を通流させる整流板が設けられている場合を示す。この場合、収容箱本体内の温度は、（１）が３９．０℃、（２）が３７．８℃であり、図面においては全体的に色が薄くなっている。つまり、収容箱本体内は全体的に低い温度で、また、均一な温度分布になっていることがわかる。
【００５０】
図８は、排気ファンが側方に取り付けられている場合であり、収容箱本体内の温度は、（１）が４３．３℃、（２）が３７．１℃となっている。つまり、収容箱本体内上部の色が特に濃くなっていることからもわかるように、天井板近傍に熱だまりが生成され、その周辺温度が極めて高くなっていることがわかる。
【００５１】
図９は、整流板が設けられていない場合であり、収容箱本体内の温度は、（１）が４７．４℃、（２）が４８．２℃、また、図面においても全体的に色が濃くなっている。つまり、整流板で電子機器の周辺に集中的に空気を通流させることができないことから、効率的な熱回収を行うことができず、収容箱本体内の温度は全体的に極めて高くなっていることがわかる。
【００５２】
図１０は、上方に水平投影面積が小さい電子機器を配置し、下方に水平投影面積が大きい電子機器を配置した場合であり、収容箱本体内の温度は、（１）が４４．０℃、（２）が４４．３℃になっている。また、図面においても上方に配置した電子機器及びその周囲が全体的に濃くなっている。つまり、水平投影面積が大きい電子機器を下方に配置すると外気取り入れの効率が悪くなり、上方に配置される電子機器の温度が高くなってしまうとともに収容箱本体内の温度も全体的に高くなることがわかる。
【００５３】
次に、水平投影面積が大きく発熱量が小さい電子機器と、水平投影面積が小さく発熱量が大きい電子機器のそれぞれの配置をシミュレーションして収容箱本体内の温度分布がどのように変化するかについて説明する。図１１は水平投影面積が大きく、発熱量の小さい電子機器を上方に配置した場合の収容箱本体内の温度分布を示す図、図１２は水平投影面積が小さく、発熱の大きい電子機器を上方に配置した場合の収容箱本体内の温度分布を示す図である。
【００５４】
図１１は、上方に水平投影面積が大きく発熱の小さい電子機器を配置し、下方に水平投影面積が小さく発熱の大きい電子機器を配置した場合を示す。この場合、収容箱本体内の温度は、（１）が３８．９℃、（２）が３８．１℃になっており、図面においては全体的に色が薄くなっているのがわかる。つまり、空気が収容箱本体内を効率的に通流するので、収容箱本体内は全体的に低い温度で、均一な温度分布になっていることがわかる。
【００５５】
図１２は、上方に水平投影面積が小さく発熱の大きい電子機器を配置し、下方に水平投影面積が大きく発熱の小さい電子機器を配置した場合を示す。この場合、収容箱本体内の温度は、（１）が５１．７℃、（２）が４０．８℃になっており、図面においては上方に配置された電子機器の周辺の色が濃くなっていることがわかる。つまり、空気が収容箱本体内を効率的に通流できないので、空気の流速も小さく、上方に配置された電子機器周辺で発する熱を効率的に回収できず、その周辺温度が極めて高くなっていることがわかる。
【００５６】
以上のシミュレーション結果から以下のことがわかった。まず、図７と図８を比較して、排気ファンを側方に取り付けた場合よりも天井板に取り付けた場合の方が収容箱本体内の温度上昇を抑制できることがわかった。また、図７と図９を比較して、整流板を設けない場合よりも設けた場合の方が収容箱本体内の温度上昇を抑制できることがわかった。さらに、図７と図１０を比較して、水平投影面積が大きい電子機器を上方に配置した場合の方が、収容箱本体内の温度上昇を抑制できることがわかった。図１１と図１２を比較して、水平投影面積が小さく発熱の大きい電子機器と水平投影面積が大きく発熱の小さい電子機器を収容箱本体内に収容する場合は、前者を下方に後者を上方に配置した方が収容箱本体内の温度上昇を抑制できることがわかった。
【図面の簡単な説明】
【００５７】
【図１】実施形態に係る電子機器類収容箱の分解斜視図である。
【図２】実施形態に係る電子機器類収容箱の一部を透視した斜視図である。
【図３】実施形態に係る電子機器類収容箱の側面断面図である。
【図４】実施形態に係る電子機器類収容箱の底面図である。
【図５】電子機器収容棚の斜視図である。
【図６】電子機器類収容箱の内部の空気の流れを概略的に説明する側面断面図である。
【図７】本実施形態に係る電子機器類収容箱の収容箱本体内の温度分布を示す図である。
【図８】図７の電子機器類収容箱において排気ファンが側方に取り付けられている場合の収容箱本体内の温度分布を示す図である。
【図９】図７の電子機器類収容箱において整流板が設けられていない場合の収容箱本体内の温度分布を示す図である。
【図１０】図７の電子機器類収容箱において電子機器の配置を入れ替えた場合の収容箱本体内の温度分布を示す図である。
【図１１】水平投影面積が大きく、発熱の小さい電子機器を上方に配置した場合の収容箱本体内の温度分布を示す図である。
【図１２】水平投影面積が小さく、発熱の大きい電子機器を上方に配置した場合の収容箱本体内の温度分布を示す図である。
【符号の説明】
【００５８】
１      電子機器類収容箱
２      収容箱本体
３      吸気口
４      排気ファン
５      排気フード
６      電子機器用収容棚
２１    底板
２２    天井板
２４    側板
２５    正面扉
２６    背面板
５５    排気口
Ｅ１，Ｅ２  電子機器
【図１】
2005086081.tif 000003
【図２】
2005086081.tif 000004
【図３】
2005086081.tif 000005
【図４】
2005086081.tif 000006
【図５】
2005086081.tif 000007
【図６】
2005086081.tif 000008
【図７】
2005086081.tif 000009
【図８】
2005086081.tif 000010
【図９】
2005086081.tif 000011
【図１０】
2005086081.tif 000012
【図１１】
2005086081.tif 000013
【図１２】
2005086081.tif 000014